(57)【要約】  セルラー移動無線ネットワークおよびセルラー移動無線システムにおいて１つまたは複数の無線セルを操作するための方法であって、伝送されるセル識別子によって各無線セルを識別することができ、無線セルが相応の識別子を有することによってＣＳＧに使用を限定することができ、移動無線端末に記憶されている認可されたセル識別子のポジティブリストとの肯定的な比較が得られた後でのみ、移動無線端末が、移動無線ネットワークのサービスを使用するためにそれぞれの無線セルに登録し、セル識別子が可変であり、ネットワークサービスの登録および使用が現在ＣＳＧに限定されているか、それともネットワークサービスの登録および使用があらゆる加入者に開放されているかを判断するためにセル識別子を使用することができる方法。
2011526449.tif 000002
【特許請求の範囲】
【請求項１】
セルラー移動無線ネットワークの１つまたは複数の無線セルを操作するための方法であって、ブロードキャストされるセル識別子によって各無線セルを識別することができ、無線セルが相応の識別子を有することによって閉鎖的な加入者グループ（ＣＳＧ）に使用を限定することができ、移動無線端末に記憶されている許可されたセル識別子のポジティブリストとの肯定的な一致が得られた後でのみ、移動無線端末が、前記移動無線ネットワークのサービスを使用するために特定の無線セルにログインする方法において、
前記セル識別子が可変であり、前記セル識別子に基づいて、ネットワークサービスのログインおよび使用がその時点でＣＳＧに限定されているか、それとも前記ネットワークサービスのログインおよび使用があらゆる加入者に開放されているかを判断することができることを特徴とする方法。
【請求項２】
前記セル識別子の１つのビット、複数のビット、またはビット列を変えることによって前記セル識別子を変えることができ、特に、前記セル識別子のビット長が２８ビットであることを特徴とする請求項１に記載の方法。
【請求項３】
前記セル識別子の所定の１つのビット、所定の複数のビット、または所定のビット列が所定の値を有するときには、前記移動無線端末に記憶されている許可されたセル識別子のポジティブリストとの比較が行われないことを特徴とする請求項１または２に記載の方法。
【請求項４】
前記移動無線端末を、加入者識別番号によって一義的に識別することができ、ログイン時に前記無線セルに関して認証することができることを特徴とする請求項１〜３のいずれか一項に記載の方法。
【請求項５】
特に請求項１〜４のいずれか一項に記載の方法を実施して使用するためのセルラー移動無線システムであって、前記移動無線システムのサービスを使用するために移動無線端末がログインすることができる複数の無線セルを有する移動無線ネットワークを備え、ブロードキャストされるセル識別子によって各無線セルを識別することができ、無線セルが相応の識別子を有することによって閉鎖的な加入者グループ（ＣＳＧ）に使用を限定することができ、移動無線端末に記憶されている許可されたセル識別子のポジティブリストとの肯定的な一致が得られた後でのみ、移動無線端末が、前記移動無線ネットワークのサービスを使用するために特定の無線セルにログインするセルラー移動無線システムにおいて、
前記セル識別子が可変であり、前記セル識別子に基づいて、ネットワークサービスのログインおよび使用がその時点でＣＳＧに限定されているか、それとも前記ネットワークサービスのログインおよび使用があらゆる加入者に開放されているかを判断することができることを特徴とするセルラー移動無線システム。
【請求項６】
前記セル識別子の１つのビット、複数のビット、またはビット列を変えることによって前記セル識別子を変えることができ、特に、前記セル識別子のビット長が２８ビットであることを特徴とする請求項５に記載のシステム。
【請求項７】
前記セル識別子の所定の１つのビット、所定の複数のビット、または所定のビット列が所定の値を有するときには、前記移動無線端末に記憶されている許可されたセル識別子のポジティブリストとの比較が行われないことを特徴とする請求項５または６に記載のシステム。
【請求項８】
前記移動無線端末を、加入者識別番号によって一義的に識別することができ、ログイン時に前記無線セルに関して認証することができることを特徴とする請求項５〜７のいずれか一項に記載のシステム。
【発明の詳細な説明】
【技術分野】
【０００１】
本発明は、セルラー移動無線ネットワークの１つまたは複数の無線セルを操作するための方法であって、ブロードキャストされるセル識別子によって各無線セルを識別することができ、無線セルが相応の識別子を有することによってＣＳＧ（closed subscriber group；閉鎖的な加入者グループ）に使用を限定することができ、移動無線端末に記憶されている許可されたセル識別子のポジティブリストと肯定的な一致が得られた後でのみ、移動無線端末が、移動無線ネットワークのサービスを使用するために特定の無線セルにログインする方法に関する。
【０００２】
さらに、本発明は、移動無線システムのサービスを使用するために移動無線端末がログインすることができる複数の無線セルを有する移動無線ネットワークを備えるセルラー移動無線システムであって、ブロードキャストされるセル識別子によって各無線セルを識別することができ、無線セルが相応の識別子を有することによってＣＳＧに使用を限定することができ、移動無線端末に記憶されている許可されたセル識別子のポジティブリストとの肯定的な一致が得られた後でのみ、移動無線端末が、移動無線ネットワークのサービスを使用するために特定の無線セルにログインするセルラー移動無線システムに関する。
【背景技術】
【０００３】
移動無線ネットワークの１つまたは複数の無線セルを排他的にＣＳＧに限定することが知られている。移動無線オペレータは、移動無線技術を使用して、ＣＳＧの一部として１つのセルまたは１つのセルグループを指定することができる。これらのセルは、対応する識別子（ＣＳＧ識別番号−ＣＳＧ ＩＤ）によって指定される。対応するセル識別子（ＣＳＧ ＩＤ）が、許可されたＣＳＧ、特に無線セルのリスト（「ホワイトリスト」）に含まれているときにのみ、移動端末、すなわち移動無線端末（ユーザ機器（ＵＥ）や移動電話など）は、ＣＳＧと関連付けられるセルへのアクセスを試行する。ホワイトリストまたはポジティブリストは、ブラックリストとは反対に、とりわけ、リストの作成者の意見により信頼できると判断された人、企業、および要素を表す。この／これらのリストは移動無線オペレータによって保守および管理され、その移動無線オペレータの下で、移動無線端末が、対応する移動無線ネットワーク（ＨＰＬＭＮ−ホーム公衆陸上移動ネットワーク）に加入されている。
【０００４】
欠点として、通常、ＣＳＧ用に確保されているセルでは、他のネットワークまたは企業のユーザは、ホームネットワークＨＰＬＭＮに関与せずにネットワークにアクセスすることはできない。
【発明の概要】
【発明が解決しようとする課題】
【０００５】
本発明の目的は、セルラー移動無線ネットワークの１つまたは複数の無線セルを操作するための方法、およびオープンネットワークアクセスが可能となるようにある範囲のＣＳＧ識別番号を有する対応するセルラー移動無線システムをさらに開発することである。
【課題を解決するための手段】
【０００６】
この目的は、本発明によれば、独立請求項に記載の方法およびセルラー移動無線システムを使用することによって実現される。本発明の有利なさらなる態様は、従属請求項に記載される。
【０００７】
セルラー移動無線ネットワークの１つまたは複数の無線セルを操作するための方法であって、ブロードキャストされるセル識別子によって各無線セルを識別することができ、無線セルが相応の識別子を有することによってＣＳＧに使用を限定することができ、移動無線端末に記憶されている許可されたセル識別子のポジティブリストとの肯定的な一致が得られた後でのみ、移動無線端末が、移動無線ネットワークのサービスを使用するために特定の無線セルにログインする方法において、特に有利には、セル識別子が可変であり、セル識別子に基づいて、ネットワークサービスのログインおよび使用がその時点でＣＳＧに限定されているか、それともネットワークサービスのログインおよび使用があらゆる加入者に開放されているかを判断することができる。
【０００８】
特に本発明による方法を実施して使用するためのセルラー移動無線システムであって、移動無線システムのサービスを使用するために移動無線端末がログインすることができる複数の無線セルを有する移動無線ネットワークを備え、ブロードキャストされるセル識別子によって各無線セルを識別することができ、無線セルが相応の識別子を有することによってＣＳＧに使用を限定することができ、移動無線端末に記憶されている許可されたセル識別子のポジティブリストとの肯定的な一致が得られた後でのみ、移動無線端末が、移動無線ネットワークのサービスを使用するために特定の無線セルにログインするセルラー移動無線システムに関して、特に有利には、セル識別子が可変であり、セル識別子に基づいて、ネットワークサービスのログインおよび使用がその時点でＣＳＧに限定されているか、それともネットワークサービスのログインおよび使用があらゆる加入者に開放されているかを判断することができる。
【０００９】
セルラー移動無線ネットワークの１つまたは複数の無線セルのセル識別子が可変であることにより、一時的または永久的に、ＣＳＧ識別番号（ＣＳＧ ＩＤ）を有するＣＳＧにこの特定の無線セルの使用を限定することができ、またはオープンネットワークアクセス用に開放することができる。セル識別子は、ネットワーク側で管理することができる。したがって、既知の操作方法および既知のセルラー移動無線システムと比べた相違および特別の利点は、セルラー移動無線システムの１つまたは複数の無線セルのセル識別子が可変に設計され、この変化が、限定的なネットワークアクセスであるかオープンネットワークアクセスであるかの基準となることである。
【００１０】
用語「移動無線端末」または「移動端末」、特にユーザ機器（ＵＥ）または移動電話は、移動無線端末と関連付けられる加入者特有の加入者識別モジュール、すなわち加入者識別番号（国際移動体加入者識別番号−ＩＭＳＩ）の担体も意味するものと意図され、したがって、例えばチップカードまたは他のタイプの加入者識別モジュール（ＳＩＭ／ＵＳＩＭ）、さらにはソフトウェアソリューション、例えば仮想加入者識別モジュール（仮想ＳＩＭ／ＵＳＩＭ）なども表す。
【００１１】
好ましくは、セル識別子の１ビット、複数のビット、またはビット列を変えることによってセル識別子を変えることができ、特に、セル識別子のビット長が２８ビットである。
【００１２】
ＣＳＧに関連付けられるセルに移動端末を使用してアクセスすることができるかどうかをセル識別子、すなわちＣＳＧ  ＩＤの１つのビットまたは所定のビット列が示すことにより、このセル識別子が移動端末のホワイトリストに登録されていないときでさえ、有利には、オープンネットワークアクセス用にＣＳＧのある範囲を簡単に開放する、または閉鎖することができる。
【００１３】
好ましくは、この方法および／またはシステムにおいて、セル識別子の所定の１つのビット、所定の複数のビット、または所定のビット列が所定の値を有するときには、移動無線端末に記憶されている許可されたセル識別子のポジティブリストとの比較が行われない。セルがオープンネットワークアクセスに利用可能であることをセル識別子、すなわちＣＳＧ ＩＤが示すとき、移動無線端末に記憶されているポジティブリスト（ホワイトリスト）との比較を省略することができ、移動無線端末が移動無線ネットワークに直接ログインすることによってネットワークサービスを使用することができる。
【００１４】
好ましくは、移動無線端末を、加入者識別番号（国際移動体加入者識別番号−ＩＭＳＩ）によって一義的に識別することができ、ログイン時に無線セルに関して認証することができ、すなわち、移動無線端末または移動無線端末に関連付けられる加入者の認証も、移動無線ネットワークへのログイン時に直接行われる。
【００１５】
したがって、本発明による方法および本発明による移動無線システムを使用することにより、ある範囲のＣＳＧ識別番号（ＣＳＧ ＩＤ）を定めることができ、全般的にまたは一時的に、オープンネットワークアクセス用に開放することができる。
【００１６】
本発明の１つの例示的実施形態を図面に示し、本明細書で以後より詳細に説明する。
【図面の簡単な説明】
【００１７】
【図１】移動無線ネットワークへのＣＳＧのセルグループの組込み、および移動無線端末によるこの範囲の無線セルの使用を示す図である。
【図２ａ】第１の操作モードでの、２８ビットのセル識別子の一例を示す図である。
【図２ｂ】第２の操作モードでの、図２ａによる２８ビットのセル識別子を示す図である。
【発明を実施するための形態】
【００１８】
図１に概略的に示される例では、例えば企業「Ａ社」が複数の無線セル２を操作する。これらの無線セル２は、移動ネットワークオペレータＢによって操作されて利用可能にされている。
【００１９】
それに従って、企業「Ａ社」はセル２を操作して、公衆ネットワーク、またはＣＳＧ用の企業内ＣＳＧネットワークを展開または操作する。図１における概略的な例示によれば、操作は、以下のように行われる。
１．移動ネットワークオペレータＢが、相応のセル識別子（ＣＳＧ ＩＤ）を提供し、公衆アクセスが可能であることを示す（１）。
２．企業「Ａ社」のＣＳＧセルが操作される周波数は、セル２を提供する移動ネットワークオペレータＢに属している。
３．移動無線端末、すなわち移動端末ＵＥ（ユーザ機器）が、未知の企業「Ｘ社」、すなわち無線セル２のオペレータＡ（企業「Ａ社」）のＣＳＧに属さない企業を認証する。
４．移動端末ＵＥのユーザは、ＣＳＧセル２がオープンネットワークアクセスに対応するモードで操作されているときに、ＣＳＧセル２を使用することができる。
５．企業「Ａ社」によって操作されているセル２を使用するために、移動無線端末ＵＥのユーザは企業「Ｘ社」に相応の使用料を支払い、使用される移動無線端末ＵＥがこの企業Ｘにユーザとして関連付けられる。
６．セル２で使用される移動無線端末ＵＥを提供しており、移動無線端末を認証している企業「Ｘ社」は、使用されて操作される対応するＣＳＧセルに関する周波数を提供するオペレータＢ（移動ネットワークオペレータＢ）に相応の使用料を支払う。ＣＳＧセルは、移動ネットワークオペレータＢのネットワーク内で第三者（Ａ社）によって操作される。
【００２０】
ここで、図１は、移動ネットワークオペレータＢの移動無線ネットワーク内でＣＳＧセル２を使用するための操作方式ならびにデータフロー１、３、４および支払いフロー５、６を示す。
【００２１】
図２は、左側の最下位ビット（ＬＳＢ）から右側の最上位ビット（ＭＳＢ）までのビット長２８ビットのセル識別子（すなわちＣＳＧ ＩＤ）のアドレス範囲の２つの例を示す。
【００２２】
図２ａおよび図２ｂは、以下に説明する２つの異なる操作状況を示す。
【００２３】
ビット長が２８ビットのＣＳＧ  ＩＤアドレス範囲は、２つの種類に分けられる。すなわち、例えば、移動無線端末に記憶されているポジティブリストまたはホワイトリストを使用するためのＸＸ０ＸＸ・・・Ｘと、オープンネットワークアクセスを示すためのＸＸ１ＸＸ・・・Ｘである。文字Ｘは、より詳細には定義しないビット状態を示す。ここでは、このビット（ビット列でもよい）の位置および評価状態０または１は、純粋に無作為に選択される。
【００２４】
図２ａによる第１の操作状況または操作モードでは、セル識別子（ＣＳＧ ＩＤ）が「ＸＸ０」で始まる。ブロードキャストされる「０」で始まるそのようなセル識別子（ＣＳＧ ＩＤ）そのものが、許可されたセル識別子のポジティブリストまたはホワイトリストに存在するときにのみ、移動無線端末（ＵＥ）は、そのセル識別子（ＣＳＧ ＩＤ）を有するセルへのアクセスを試みる。すなわち、この第１の操作状況では、移動無線端末がこの無線セルにログインする前に、移動無線端末に記憶されているホワイトリストとの比較が行われる。
【００２５】
図２ｂに示される操作状況または操作モードでは、セル識別子（ＣＳＧ ＩＤ）が「ＸＸ１」で始まる。移動端末は、ブロードキャストされる「１」で始まる対応するセル識別子（ＣＳＧ ＩＤ）を有するセルへのアクセス試行を許可される。すなわち、このセルはオープンネットワークアクセスに利用可能である。
【００２６】
したがって、上述した例では、特定の無線セルが、第１の操作モード（識別子「ＸＸ０」）でＣＳＧのみに利用可能であるか、それともセル識別子「ＸＸ１」を有する第２の操作状況でオープンアクセスを示しており、ＣＳＧに属していない移動無線端末にも移動無線ネットワークへのログインを許可するかを、計２８ビットのセル識別子ＣＳＧ ＩＤの３番目のビットを使用して示す。
【００２７】
本発明による手法の利点は、他の企業または他の加入者グループのユーザが、ＨＰＬＭＮ（ホーム公衆陸上移動ネットワーク）に関与せずに、かつ移動端末のＨＰＬＭＮとネットワークカバレッジのための周波数および無線技術を提供するＰＬＭＮ（公衆陸上移動ネットワーク）との間のビジネスモデルに関係なく、ＣＳＧセルにアクセスできるようにすることである。
【００２８】
したがって、ブロードキャストされるセル識別子ＣＳＧ ＩＤを使用して、特定の無線セルがＣＳＧに限定されるか、それともオープンネットワークアクセスに利用可能であるかを示すことによって、識別、すなわちネットワークサービスの使用が可能かどうかに関する区別を非常に簡単に、しかも高い信頼性で行うことができる。
【図１】
2011526449.tif 000003
【図２ａ】
2011526449.tif 000004
【図２ｂ】
2011526449.tif 000005
【国際調査報告】
2011526449.tif 000006
2011526449.tif 000007
2011526449.tif 000008
2011526449.tif 000009
2011526449.tif 000010
2011526449.tif 000011